(57)【要約】【課題】  安価で環境にやさしい手動式スイッチを提供する。【解決手段】  ２つの筐体１００，２００とが嵌合することで外形をなし、これに伴って２本の導線がそれぞれ電極３００ａ、３００ｂに圧接されて固定され、操作部１１０を湾曲されることにより、電極３００ａと電極３００ｂとが電気的に接続されるようにしたものである。【選択図】      図１
2005080687.tif 000002
【特許請求の範囲】
【請求項１】
手動操作によりＯＮ／ＯＦＦ動作する手動式スイッチにおいて、
互いに一体化することで筐体を形成する第１の部材と第２の部材と、
前記筐体内で固定され、第１の配線が接続される第１の導体と、
この第１の導体と少なくとも一部が対峙して前記筐体内で固定され、第２の配線が接続される第２の筐体とを具備し、
前記第１の部材は、ユーザからの外圧により前記筐体内方向に湾曲し、これに伴って前記第１の導体と前記第２の導体とが対峙する部分を電気的に接続させる操作手段を備えることを特徴とする手動式スイッチ。
【請求項２】
前記第１の部材と前記第２の部材は、一体化した際に互いに対向する面に凸部をそれぞれ備え、前記第１の部材と前記第２の部材を一体化させた際に、前記凸部により前記第１の配線と前記第１の導体とを挟み込んで押圧により固定するとともに、前記凸部により前記第２の配線と前記第２の導体とを挟み込んで押圧により固定することを特徴とする請求項１に記載の手動式スイッチ。
【請求項３】
前記第１の部材は、一体化した際に前記第２の部材に対向する面に凸部を備え、この凸部において前記第１の導体と前記第２の導体とを絶縁状態で保持することを特徴とする請求項１に記載の手動式スイッチ。
【発明の詳細な説明】
【技術分野】
【０００１】
この発明は、例えばナースコールシステムに用いられ、安価で環境にやさしい手動式スイッチに関する。
【背景技術】
【０００２】
周知のように、ナースコールシステムなどで用いられる従来の手動式スイッチは、部品点数が多く、これに伴って組み立て工程も多段階に渡っており、製造コストが高かった。また、廃棄する際にも、分解作業や部品の分別作業に労力が費やされるという問題があった（例えば、特許文献１参照）。
【特許文献１】実用新案登録第３０２８８５１号公報。
【発明の開示】
【発明が解決しようとする課題】
【０００３】
従来の手動式スイッチでは、組み立て作業が複雑で製造コストが高く、廃棄する場合にも労力が必要とされ、環境にやさしくないという問題があった。  
この発明は上記の問題を解決すべくなされたもので、安価で環境にやさしい手動式スイッチを提供することを目的とする。
【課題を解決するための手段】
【０００４】
上記の目的を達成するために、この発明は、手動操作によりＯＮ／ＯＦＦ動作する手動式スイッチにおいて、互いに一体化することで筐体を形成する第１の部材と第２の部材と、筐体内で固定され、第１の配線が接続される第１の導体と、この第１の導体と少なくとも一部が対峙して筐体内で固定され、第２の配線が接続される第２の筐体とを具備し、第１の部材は、ユーザからの外圧により筐体内方向に湾曲し、これに伴って第１の導体と第２の導体とが対峙する部分を電気的に接続させる操作手段を具備して構成するようにした。
【発明の効果】
【０００５】
以上述べたように、この発明では、第１の部材に形成された操作手段が、ユーザからの外圧により筐体内方向に湾曲し、これに伴って第１の導体と第２の導体とが対峙する部分を電気的に接続させられることで、ＯＮ／ＯＦＦ動作するようにしている。
【０００６】
したがって、この発明によれば、部品点数が極小で、かつ容易に組み立てと分解が可能であるため、製造コストが低く、廃棄する場合の労力も極めて低く、安価で環境にやさしい手動式スイッチを提供することができる。
【発明を実施するための最良の形態】
【０００７】
以下、図面を参照して、この発明の一実施形態について説明する。  
図１は、この発明の一実施形態に係わる手動式スイッチの構成を示すものである。この手動式スイッチは、筐体１００と、筐体２００と、電極３００ａと、電極３００ｂと、リード線Ｌとを備える。
【０００８】
筐体１００と筐体２００は、生分解樹脂を用いて成型されたものである。  
筐体１００は、４つのツメ１０１〜１０４を備え、一方、筐体２００は、このツメに勘合する嵌合孔２０１〜２０４を備えており、これらを嵌合させることにより、筐体１００と筐体２００とは、図２に示すように円筒形の外形をなす手動スイッチを形作る。
【０００９】
また筐体１００は、２つの切り込みが入っており、これにより筐体２００方向へ湾曲する操作部１１０が形成されている。そして筐体１００の内面には、図３に示すような凸部１２０が形成されている。
【００１０】
筐体２００は、筐体１００の操作部１１０が湾曲する際に接触しないように、切り欠き部２１０が成型されている。また筐体２００の内面には、筐体１００の凸部１２０と対峙し、筐体２００が筐体１００と一体化した際に、上記凸部１２０に圧接される凸部２２０が形成されており、凸部１２０に対峙する面には複数の突起が設けてある。
【００１１】
そして、筐体１００と筐体２００は、それぞれリード線Ｌを挿通させるための切り欠き部１３０と２３０が設けてあり、筐体１００と筐体２００が一体化した際に円形のガイド孔が形成され、このガイド孔にリード線Ｌに装着されたゴムパッキンＰが挟み込まれ、リード線Ｌの動きが固定される。
【００１２】
リード線Ｌは、それぞれ絶縁体により被覆された２つの導線からなる。  
電極３００ａと電極３００ｂは、筐体１００の凸部１２０上に互いに接触しないように並べられ、筐体１００と筐体２００が一体化した際に、図４に示すように、筐体２００の凸部２２０により、それぞれリード線Ｌの導線が押圧されて電気的に接続される。
【００１３】
電極３００ａは、電極３００ｂ方向に屈折するＬ字型の平面導体で、これに対して電極３００ｂは、筐体１００の凸部１２０上に電極３００ａと並べられた際に電極３００ａと接触しないように、筐体１００−筐体２００方向に折り目が設けられ、これにより電極３００ａの一部と電極３００ｂの一部が筐体１００−筐体２００方向で対峙している。
【００１４】
そして、筐体１００と筐体２００とを一体化させ組み立てられると、例えば患者が円筒形の胴部を握り、親指で筐体１００の操作部１１０を筐体２００方向に押下する。するとその内部では、図４に示すように、筐体１００−筐体２００方向で対峙していた電極３００ａの一部と電極３００ｂの一部とが電気的に接続され導通状態となる。
【００１５】
以上のように、上記構成の手動式スイッチでは、２つの筐体１００，２００とが嵌合することで外形をなし、これに伴って２本の導線がそれぞれ電極３００ａ、３００ｂに圧接されて固定され、操作部１１０を湾曲されることにより、電極３００ａと電極３００ｂとが電気的に接続されるようにしている。
【００１６】
したがって、上記構成の手動式スイッチによれば、部品点数が極小で、かつ容易に組み立てと分解が可能であるため、製造コストが低く、廃棄する場合の労力も極めて低く、安価で環境にやさしい手動式スイッチを提供することができる。
【００１７】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【００１８】
その一例として例えば、上記実施の形態では、電極３００ａを電極３００ｂ方向に屈折するＬ字型の平面導体とし、電極３００ｂには折り目を設けて非導通時に電極３００ａに接触しないような形状とした。これに代わって例えば、図５に示すように、電極３００ａを凸部を設けた平面導体とし、電極３００ｂは単なる平面導体とする。そして、筐体１００には、凸部１２０に代わって、図６に示すような凸部１２１を設ける。
【００１９】
凸部１２１には、先端に方向に向かうにしたがって２段階的に細くなるように、凸部１２１ａ、１２１ｂを設け、凸部１２１ａには電極３００ａに設けられたガイド孔３０１ａが挿通され、凸部１２１ｂには電極３００ｂに設けられたガイド孔３０１ｂが挿通される。なお、凸部１２１ａの直径はガイド孔３０１ｂの直径よりも大きく、凸部１２１ａおよび凸部１２１ｂの厚みは、それぞれ電極３００ａ、電極３００ｂの厚みより大きいため、電極３００ａと電極３００ｂとは接触しない。凸部１２１ｂの先端は、熱源により溶融されて固定部１２１ｃを形成し、電極３００ｂを固定する。
【００２０】
このような構成により、電極３００ａと電極３００ｂとを非接触な状態で固定し、操作部１１０を湾曲させることにより、電極３００ａの凸部と電極３００ｂとを電気的に接続するようにしても同様の効果を得られる。  
その他、この発明の要旨を逸脱しない範囲で種々の変形を施しても同様に実施可能であることはいうまでもない。
【図面の簡単な説明】
【００２１】
【図１】この発明に係わる手動式スイッチの一実施形態の構成を示す分解図。
【図２】図１に示した手動式スイッチを組み立てた際の外観を示す図。
【図３】図１に示した手動式スイッチの筐体１００を別の角度から見た図。
【図４】図１に示した操作部の湾曲する様子と、凸部により電極とリード線とが押圧されて固定される様子を示す断面図。
【図５】電極の別の形状例を示す図。
【図６】電極の別の固定例を示す断面図。
【符号の説明】
【００２２】
１００…筐体、１０１〜１０４…ツメ、１１０…操作部、１２０…凸部、１３０…切り欠き部、２００…筐体、２０１〜２０４…嵌合孔、２１０…切り欠き部、２２０…凸部、２３０…切り欠き部、３００ａ，３００ｂ…電極、１２１，１２１ａ，１２１ｂ…凸部、１２１ｃ…固定部、３０１ａ，３０１ｂ…ガイド孔、Ｌ…リード線、Ｐ…ゴムパッキン。
【図１】
2005080687.tif 000003
【図２】
2005080687.tif 000004
【図３】
2005080687.tif 000005
【図４】
2005080687.tif 000006
【図５】
2005080687.tif 000007
【図６】
2005080687.tif 000008